(57)【要約】【課題】衝突が発生しても変形せず、割れず、良い保護性能を持つ前後両端に保護シェルがあるスノーボードの提供。【解決手段】一つのスノーボードの前後両端に保護シェル３があるスノーボードであって、スノーボード躯体及び前後両端に埋め込まれている、補強された硬い材質からできた二つの保護シェル３を含む。その特徴として、前記のスノーボード躯体の前部又は後部に別々に一つの溝を設ける。一つの衝突防止ための保護シェル３は前部の溝に埋め込まれていて、外向けの端は溝口から伸び出している。もう一つの保護シェル３は後部の溝に埋め込まれていて、外向けの一端は溝口から伸び出している。【選択図】図１
0003127299.tif 000002
【実用新案登録請求の範囲】
【請求項１】
一つのスキー板の前後両端に保護シェルがあるスキー板であって、
スキー板躯体及び前後両端に埋め込まれている、補強された硬い材質からできた二つの保護シェルを含み、
その特徴として、前記のスキー板躯体の前部又は後部に別々に一つの溝を設けられ、
一つの衝突防止ための保護シェルは前部の溝に埋め込まれていて、外向けの端は溝口から伸び出しており、
もう一つの保護シェルは後部の溝に埋め込まれていて、外向けの一端は溝口から伸び出している、ことを特徴とする前後両端に保護シェルがあるスキー板。
【請求項２】
前記の二つの保護シェルは伸び出した部分が上がり段になって、その下の表面がスキー板躯体の底の高さになる、ことを特徴とする請求項１に記載の前後両端に保護シェルがあるスキー板。
【請求項３】
前記のスキー板躯体は下から上までに一番下の底板、下のガラス繊維層、中心板、上のガラス繊維層及び一番上の面板から構成され、
中心板の前後両端に内向けのはくぼみがあって、保護シェルの窪みと一緒に埋め込み目部になり、
その埋め込み部は下の底板及び下のガラス繊維層、埋め込み部の上の面板また上のガラス繊維層と前記の溝になる、ことを特徴とする請求項１に記載の前後両端に保護シェルがあるスキー板。
【請求項４】
前記底板の前後両端は前記上がり段の内側にある、ことを特徴とする請求項３に記載の前後両端に保護シェルがあるスキー板。
【請求項５】
前記保護シェルは上下両面に伸び出さない部分にゴム層がある、ことを特徴とする請求項１に記載の前後両端に保護シェルがあるスキー板。
【請求項６】
前記スキー板は底板両側の外周に鋼チェーンがあり、
底板と下のガラス繊維層の間にゴムチェーンがあり、
中心板の両側の外周にABSチェーン及び底板から中心板まで接合するネジがあり、
ネジのキャップにスペーサーがある、ことを特徴とする請求項１に記載の前後両端に保護シェルがあるスキー板。
【請求項７】
前記のネジは六角ネジで、スペーサーは六角スペーサーである、ことを特徴とする請求項６に記載の前後両端に保護シェルがあるスキー板。
【請求項８】
保護シェルの伸び出した部分は記号がない、ことを特徴とする請求項１に記載の前後両端に保護シェルがあるスキー板。
【考案の詳細な説明】
【技術分野】
【０００１】
本考案はスキー板、特に前後両端に保護シェルがあるスキー板に関する。
【背景技術】
【０００２】
スキー板はレジャーとトレーニングに使い、娯楽と運動の二つの効果を得るような冬季の運動器材である。このような運動はスピードが速い、慣性が大きいので、スキー板の前後両端は常にぶつけられて変形する、或いは割れて壊れる。これでスキー板の使用寿命は損害を受ける。
【考案の開示】
【考案が解決しようとする課題】
【０００３】
いまのスキー板の保護体は前後両端に設置した保護チェーン（ナイロンPAまたはPUP材などで溶解して型に流し込んだもの）である。のりで貼り付けて、或いはネジでスキー板の前後両端に組み合わせたて成型した保護チェーンは、技術がより複雑で、外観もまだまだ綺麗といえない。その保護チェーンは構造が簡単で硬度も弱い、またスキー板前後両端と接合する方も大きい衝突から守られない。さらにぶつけられて、変形しやすく、割れやすい。ひいてはスキー板と離れて、期待する保護効果を得られない。
【０００４】
本考案の前後両端に保護シェルがあるスキー板は、前後両端に保護シェルがあるスキー板であり、衝突が発生しても変形せず、割れず、良い保護性能を持つ。
【課題を解決するための手段】
【０００５】
改進として、本考案はこのような技術案を採用する。前後両端に保護シェルがあるスキー板を実現する。スキー板躯体及び前後両端に埋め込まれていて、補強された硬い材質からできた二つの保護シェルを含む。前記のスキー板躯体の前部又は後部に別々に一つの溝が設けられる。一つの衝突防止ための保護シェルの一端は前部の溝に埋め込まれていて、外の一端は溝口から出す。もう一つの保護シェルの一端は後部の溝に埋め込まれていて、外の一端は溝口から出す。
【０００６】
本考案によれば、二つの保護シェルは伸び出した部分が上がり段になって、その下部の表面がスキー板躯体の底の高さになる。
【０００７】
本考案によれば、スキー板躯体は下から上までに一番下の底板、下のガラス繊維層、中心板、上のガラス繊維層及び一番上の面板から構成されている。中心板の前後両端に内向けのくぼみがあって、保護シェルの窪みと一緒に埋め込み部になる。その埋め込み部は下の底板及び下のガラス繊維層、埋め込み部の上の面板また上のガラス繊維層と前記の溝になる。
【０００８】
本考案によれば、前記底板の前後両端は前記上がり段の内側にある。
【０００９】
この実用新案は補強された硬くて、よく衝突防止できる材質からできた保護シェルであって、スキー板がぶつけられることを有効的に防止できる。独特な加工と成型技術により、スキー板躯体の前後両端に組み合わせて、綺麗な一つの構造になる。衝突の発生を防止でき、容易に割れない構造であって、さまざまな種別のスキー板に広く適用する。
【考案を実施するための最良の形態】
【００１０】
図1から図4に示すように、本考案は前後両端に保護シェルがあるスキー板を実現できる。スキー板躯体及び前後両端に埋め込んでいる二つの保護シェルを含む。
【００１１】
前記のスキー板躯体の前部又は後部に別々に一つの溝を設ける。前記のスキー板躯体は下から上までに一番下の底板、下のガラス繊維層、中心板、上のガラス繊維層及び一番上の面板から構成されている。中心板の前後両端に内向けのくぼみがあって、保護シェルの窪みと一緒に埋め込み部になる。その埋め込み目部は下の底板及び下のガラス繊維層、埋め込み部の上の面板また上のガラス繊維層と前記の溝（図面に記号はない）になる。
【００１２】
図2に示すように、前記の二つ保護シェルの構造は同様である。ただし、設置する箇所が違うことが異なる点である。一般的に、保護シェルは補強された硬くて、よく衝突防止できる材質、たとえばアルミニウム、鉄、トタン板などの金属材料からできたものである。圧造、鋳造、プレス或いはCNNなど技術を採用し、加工して型を流し込んでつくる。
【００１３】
なお、硬度の高い、摩滅によく耐えるプラスチック材、たとえばナイロン、繊維ナイロン、PCなどを採用する場合もある。溶解、加工して型を流し込んで、或いはプラスチック塊のCNC技術を採用し、加工して型を流し込んでつくる。
【００１４】
本考案の保護シェルはスキー板躯体前部の溝に埋め込まれていて、外向けの端は溝口から伸び出している。もう一つの保護シェルは後部の溝に埋め込まれていて、外向けの一端は溝口から伸び出している。
【００１５】
図3に示すように、前記の保護シェルは伸び出した部分が上がり段になって、その下の表面がスキー板躯体の底の高さになる。前記底板の前後両端は前記上がり段の内側にあり、衝突防止の作用をよく発揮できる。その特徴点は、以下の通りである。前記保護シェルは上下両面に伸び出さない部分にゴム層がある。
【００１６】
前記スキー板は底板両側の外周に鋼チェーンがある。底板と下のガラス繊維層の間にゴムチェーンがある。中心板の両側の外周にはABSチェーン及び底板から中心板まで接合するネジがある。ネジのキャップにスペーサーがある。ネジとスペーサーは六角ネジと六角スペーサーである。
【００１７】
スキー板を組み合わせる前に、保護シェルに対して前処理を行う。保護シェルの表面に透明の高温保護テープをシールする。また、金属材質の保護シェルであれば、その伸び出した部分に対して砂を噴きかける。それからスキー板躯体の各部材を組み立てる仕事が始まる。まず、下ガラス繊維層、中心板を底板の上に組み立てて、次にゴム層を貼り付けてある保護シェルを中心板の前後両端の埋め込み部に置く。最後に一般の組み合わせ手順通り順次にガラス繊維層、面板及びほかの部材を組み立てていく。できたスキー板の前端は図4の拡大した斜視図に示すような見本のようになる。
【００１８】
前記の保護シェルの伸び出した部分は、上の表面にすきな記号、たとえば商標、会社のロゴ、個性化のための言語などを付けてもよい。これらの記号は個性を示す、綺麗にする、ブランドを宣伝するなどの効果を得られるものである。
【００１９】
普通の保護チェーンなしスキー板、保護チェーン簡単に貼り付けたスキー板また本考案の前後両端に保護シェルがあるスキー板に対して衝突試験を行った。結果は次の表である。
【００２０】
【表１】
0003127299.tif 000003
【００２１】
上の表から見て、ほかのスキー板と比べて、本考案の衝突防止性能はより高いと認められる。
【００２２】
本考案は補強された硬くて、よく衝突防止できる材質からできた保護シェルを持ち、独特な加工と成型技術により、スキー板躯体の前後両端に組み合わせて、綺麗な一つの構造になる。衝突の発生を防止でき、容易に割れない構造である。
【図面の簡単な説明】
【００２３】
【図１】本考案による前後両端に保護シェルがあるスキー板の分解説明図である。
【図２】本考案による前後両端に保護シェルがあるスキー板の保護シェルの構造分解図である。
【図３】本考案による前後両端に保護シェルがあるスキー板の保護シェルの斜視図である。
【図４】本考案による前後両端に保護シェルがあるスキー板の保護シェルの前部の拡大した斜視図である。
【符号の説明】
【００２４】
３    保護シェル
４    ゴム層
１１  底板
１２  下ガラス繊維層
１３  中心板
１４  上のガラス繊維層
１５  面板
１６  鋼チェーン
１７  ゴムチェーン
１８  ABSチェーン
３０  上がり段
１３０  埋め込み部
１９１  ネジ
１９２  スペーサー
【図１】
0003127299.tif 000004
【図２】
0003127299.tif 000005
【図３】
0003127299.tif 000006
【図４】
0003127299.tif 000007
【手続補正書】
【提出日】平成18年10月13日(2006.10.13)
【手続補正１】
【補正対象書類名】実用新案登録請求の範囲
【補正対象項目名】全文
【補正方法】変更
【補正の内容】
【実用新案登録請求の範囲】
【請求項１】
一つのスノーボードの前後両端に保護シェルがあるスノーボードであって、
スノーボード躯体及び前後両端に埋め込まれている、補強された硬い材質からできた二つの保護シェルを含み、
その特徴として、前記のスノーボード躯体の前部又は後部に別々に一つの溝を設けられ、
一つの衝突防止ための保護シェルは前部の溝に埋め込まれていて、外向けの端は溝口から伸び出しており、
もう一つの保護シェルは後部の溝に埋め込まれていて、外向けの一端は溝口から伸び出している、ことを特徴とする前後両端に保護シェルがあるスノーボード。
【請求項２】
前記の二つの保護シェルは伸び出した部分が上がり段になって、その下の表面がスノーボード躯体の底の高さになる、ことを特徴とする請求項１に記載の前後両端に保護シェルがあるスノーボード。
【請求項３】
前記のスノーボード躯体は下から上までに一番下の底板、下のガラス繊維層、中心板、上のガラス繊維層及び一番上の面板から構成され、
中心板の前後両端に内向けのくぼみがあって、保護シェルの窪みと一緒に埋め込み部になり、
その埋め込み部は下の底板及び下のガラス繊維層、埋め込み部の上の面板また上のガラス繊維層と前記の溝になる、ことを特徴とする請求項１に記載の前後両端に保護シェルがあるスノーボード。
【請求項４】
前記底板の前後両端は前記上がり段の内側にある、ことを特徴とする請求項３に記載の前後両端に保護シェルがあるスノーボード。
【請求項５】
前記保護シェルは上下両面に伸び出さない部分にゴム層がある、ことを特徴とする請求項１に記載の前後両端に保護シェルがあるスノーボード。
【請求項６】
前記スノーボードは底板両側の外周に鋼チェーンがあり、
底板と下のガラス繊維層の間にゴムチェーンがあり、
中心板の両側の外周にABSチェーン及び底板から中心板まで接合するネジがあり、
ネジのキャップにスペーサーがある、ことを特徴とする請求項１に記載の前後両端に保護シェルがあるスノーボード。
【請求項７】
前記のネジは六角ネジで、スペーサーは六角スペーサーである、ことを特徴とする請求項６に記載の前後両端に保護シェルがあるスノーボード。
【請求項８】
保護シェルの伸び出した部分は記号がない、ことを特徴とする請求項１に記載の前後両端に保護シェルがあるスノーボード。
【手続補正２】
【補正対象書類名】明細書
【補正対象項目名】全文
【補正方法】変更
【補正の内容】
【考案の詳細な説明】
【技術分野】
【０００１】
本考案はスノーボード、特に前後両端に保護シェルがあるスノーボードに関する。
【背景技術】
【０００２】
スノーボードはレジャーとトレーニングに使い、娯楽と運動の二つの効果を得るような冬季の運動器材である。このような運動はスピードが速い、慣性が大きいので、スノーボードの前後両端は常にぶつけられて変形する、或いは割れて壊れる。これでスノーボードの使用寿命は損害を受ける。
【考案の開示】
【考案が解決しようとする課題】
【０００３】
いまのスノーボードの保護体は前後両端に設置した保護チェーン（ナイロンPAまたはPUP材などで溶解して型に流し込んだもの）である。のりで貼り付けて、或いはネジでスノーボードの前後両端に組み合わせたて成型した保護チェーンは、技術がより複雑で、外観もまだまだ綺麗といえない。その保護チェーンは構造が簡単で硬度も弱い、またスノーボード前後両端と接合する方も大きい衝突から守られない。さらにぶつけられて、変形しやすく、割れやすい。ひいてはスノーボードと離れて、期待する保護効果を得られない。
【０００４】
本考案の前後両端に保護シェルがあるスノーボードは、前後両端に保護シェルがあるスノーボードであり、衝突が発生しても変形せず、割れず、良い保護性能を持つ。
【課題を解決するための手段】
【０００５】
改進として、本考案はこのような技術案を採用する。前後両端に保護シェルがあるスノーボードを実現する。スノーボード躯体及び前後両端に埋め込まれていて、補強された硬い材質からできた二つの保護シェルを含む。前記のスノーボード躯体の前部又は後部に別々に一つの溝が設けられる。一つの衝突防止ための保護シェルの一端は前部の溝に埋め込まれていて、外の一端は溝口から出す。もう一つの保護シェルの一端は後部の溝に埋め込まれていて、外の一端は溝口から出す。
【０００６】
本考案によれば、二つの保護シェルは伸び出した部分が上がり段になって、その下部の表面がスノーボード躯体の底の高さになる。
【０００７】
本考案によれば、スノーボード躯体は下から上までに一番下の底板、下のガラス繊維層、中心板、上のガラス繊維層及び一番上の面板から構成されている。中心板の前後両端に内向けのくぼみがあって、保護シェルの窪みと一緒に埋め込み部になる。その埋め込み部は下の底板及び下のガラス繊維層、埋め込み部の上の面板また上のガラス繊維層と前記の溝になる。
【０００８】
本考案によれば、前記底板の前後両端は前記上がり段の内側にある。
【０００９】
この実用新案は補強された硬くて、よく衝突防止できる材質からできた保護シェルであって、スノーボードがぶつけられることを有効的に防止できる。独特な加工と成型技術により、スノーボード躯体の前後両端に組み合わせて、綺麗な一つの構造になる。衝突の発生を防止でき、容易に割れない構造であって、さまざまな種別のスノーボードに広く適用する。
【考案を実施するための最良の形態】
【００１０】
図1から図4に示すように、本考案は前後両端に保護シェルがあるスノーボードを実現できる。スノーボード躯体及び前後両端に埋め込んでいる二つの保護シェルを含む。
【００１１】
前記のスノーボード躯体の前部又は後部に別々に一つの溝を設ける。前記のスノーボード躯体は下から上までに一番下の底板、下のガラス繊維層、中心板、上のガラス繊維層及び一番上の面板から構成されている。中心板の前後両端に内向けのくぼみがあって、保護シェルの窪みと一緒に埋め込み部になる。その埋め込み部は下の底板及び下のガラス繊維層、埋め込み部の上の面板また上のガラス繊維層と前記の溝（図面に記号はない）になる。
【００１２】
図2に示すように、前記の二つ保護シェルの構造は同様である。ただし、設置する箇所が違うことが異なる点である。一般的に、保護シェルは補強された硬くて、よく衝突防止できる材質、たとえばアルミニウム、鉄、トタン板などの金属材料からできたものである。圧造、鋳造、プレス或いはCNNなど技術を採用し、加工して型を流し込んでつくる。
【００１３】
なお、硬度の高い、摩滅によく耐えるプラスチック材、たとえばナイロン、繊維ナイロン、PCなどを採用する場合もある。溶解、加工して型を流し込んで、或いはプラスチック塊のCNC技術を採用し、加工して型を流し込んでつくる。
【００１４】
本考案の保護シェルはスノーボード躯体前部の溝に埋め込まれていて、外向けの端は溝口から伸び出している。もう一つの保護シェルは後部の溝に埋め込まれていて、外向けの一端は溝口から伸び出している。
【００１５】
図3に示すように、前記の保護シェルは伸び出した部分が上がり段になって、その下の表面がスノーボード躯体の底の高さになる。前記底板の前後両端は前記上がり段の内側にあり、衝突防止の作用をよく発揮できる。その特徴点は、以下の通りである。前記保護シェルは上下両面に伸び出さない部分にゴム層がある。
【００１６】
前記スノーボードは底板両側の外周に鋼チェーンがある。底板と下のガラス繊維層の間にゴムチェーンがある。中心板の両側の外周にはABSチェーン及び底板から中心板まで接合するネジがある。ネジのキャップにスペーサーがある。ネジとスペーサーは六角ネジと六角スペーサーである。
【００１７】
スノーボードを組み合わせる前に、保護シェルに対して前処理を行う。保護シェルの表面に透明の高温保護テープをシールする。また、金属材質の保護シェルであれば、その伸び出した部分に対して砂を噴きかける。それからスノーボード躯体の各部材を組み立てる仕事が始まる。まず、下ガラス繊維層、中心板を底板の上に組み立てて、次にゴム層を貼り付けてある保護シェルを中心板の前後両端の埋め込み部に置く。最後に一般の組み合わせ手順通り順次にガラス繊維層、面板及びほかの部材を組み立てていく。できたスノーボードの前端は図4の拡大した斜視図に示すような見本のようになる。
【００１８】
前記の保護シェルの伸び出した部分は、上の表面にすきな記号、たとえば商標、会社のロゴ、個性化のための言語などを付けてもよい。これらの記号は個性を示す、綺麗にする、ブランドを宣伝するなどの効果を得られるものである。
【００１９】
普通の保護チェーンなしスノーボード、保護チェーン簡単に貼り付けたスノーボードまた本考案の前後両端に保護シェルがあるスノーボードに対して衝突試験を行った。結果は次の表である。
【００２０】
【表１】
0003127299.tif 000008
【００２１】
上の表から見て、ほかのスノーボードと比べて、本考案の衝突防止性能はより高いと認められる。
【００２２】
本考案は補強された硬くて、よく衝突防止できる材質からできた保護シェルを持ち、独特な加工と成型技術により、スノーボード躯体の前後両端に組み合わせて、綺麗な一つの構造になる。衝突の発生を防止でき、容易に割れない構造である。
【図面の簡単な説明】
【００２３】
【図１】本考案による前後両端に保護シェルがあるスノーボードの分解説明図である。
【図２】本考案による前後両端に保護シェルがあるスノーボードの保護シェルの構造分解図である。
【図３】本考案による前後両端に保護シェルがあるスノーボードの保護シェルの斜視図である。
【図４】本考案による前後両端に保護シェルがあるスノーボードの保護シェルの前部の拡大した斜視図である。
【符号の説明】
【００２４】
３    保護シェル
４    ゴム層
１１  底板
１２  下ガラス繊維層
１３  中心板
１４  上のガラス繊維層
１５  面板
１６  鋼チェーン
１７  ゴムチェーン
１８  ABSチェーン
３０  上がり段
１３０  埋め込み部
１９１  ネジ
１９２  スペーサー